(57)【要約】【課題】高い能力の循環ポンプを使用することなく循環流量とフィルターによる濾過性能を両立させることができ、所定の循環流量を確保しつつ十分な濾過性能が得られる浴槽用一口循環口を提供する。【解決手段】浴槽の壁面に取り付けられ端部に吸引口を有する吸引流路と端部に吐出口を有する吐出流路とが設けられた本体と、該本体に装着されて少なくとも前記吸引口を覆う外部フィルターとを備えた浴槽用一口循環口において、本体の吸引口の開口端部に該吸引口の開口面積より大きい面積の幅広開口部を形成し、該幅広開口部の開口側に内部フィルターを配設する。内部フィルターは、本体の吸引口の開口端部より幅広に形成され、該幅広部分と本体との間に凹部で形成される隙間を設けて配設されることにより幅広開口部が形成される。【選択図】  図２
2004301472.tif 000002
【特許請求の範囲】
【請求項１】
浴槽の壁面に取り付けられ端部に吸引口を有する吸引流路と端部に吐出口を有する吐出流路とが設けられた本体と、該本体に装着されて少なくとも前記吸引口を覆う外部フィルターとを備えた浴槽用一口循環口において、
前記本体の吸引口の開口端部に該吸引口の開口面積より大きい面積の幅広開口部を形成し、該幅広開口部の開口側に内部フィルターを配設したことを特徴とする浴槽用一口循環口。
【請求項２】
前記内部フィルターは、本体の吸引口が開口する筒状フランジの外周面形状に対応した形状に形成されていることを特徴とする請求項１に記載の浴槽用一口循環口。
【請求項３】
前記内部フィルターは、本体の吸引口の開口端部より幅広に形成され、該幅広部分と本体との間に隙間を設けて配設されることにより前記幅広開口部が形成されていることを特徴とする請求項１または２に記載の浴槽用一口循環口。
【請求項４】
前記隙間は、内部フィルターに所定深さ寸法の凹部を形成するか、もしくは前記本体に所定高さ寸法の凸部を形成することにより設けられていることを特徴とする請求項３に記載の浴槽用一口循環口。
【請求項５】
前記内部フィルターは、本体の吸引口の開口端部に形成された開口側が幅広なテーパ部の開口側に配設されることにより、該内部フィルターの内側に前記幅広開口部が形成されていることを特徴とする請求項１または２に記載の浴槽用一口循環口。
【請求項６】
前記内部フィルターは、本体に着脱可能に配設されていることを特徴とする請求項１ないし５のいずれかに記載の浴槽用一口循環口。
【請求項７】
前記内部フィルターは、本体に設けられた吐出口にも配設されていることを特徴とする請求項１ないし６のいずれかに記載の浴槽用一口循環口。
【発明の詳細な説明】
【０００１】
【発明の属する技術分野】
本発明は、例えば浴槽の側壁等に取り付けられて浴槽内の湯の追い焚き用に使用される浴槽用一口循環口に関する。
【０００２】
【従来の技術】
従来、この種の一口循環口としては、例えば特許文献１及び特許文献２に開示されている。特許文献１に開示の一口循環口は、吸引通路と吐出通路を有する基体をスリーブによって浴槽壁面に取り付けると共に、基体のフランジにメッシュ状のフィルターを有するフィルターケースを被嵌させるようにしたものである。
また、特許文献２に開示の一口循環口は、吸引通路と吐出通路を有する循環口をハウジングを介して浴槽側壁に取り付けると共に、循環口フランジと化粧カバー間にフィルターを取り付けるようにしたものである。
【０００３】
【特許文献１】
特開２００１−５０５９４号公報
【特許文献２】
実開平５−２４０３１号公報
【０００４】
【発明が解決しようとする課題】
しかしながら、これらの一口循環口にあっては、フィルターの濾過効率を高めるためにメッシュ状のフィルターが使用されていることから、浴槽内の湯の吸込みに際しフィルターが抵抗となって循環流量が少なくなる場合がある。そのため、所定の循環流量を得るために能力（容量）の高い循環ポンプの使用が必要となり、コスト高になると共に省エネの面でも好ましくない。
【０００５】
そこで、このような不都合を解消するために、一口循環口の吸引口の口径を大きくすることも考えられるが、一口循環口の構造上、吸引口の大きさに制約を受け易いのが現実であり希望する大きさの口径に設定することが困難である。その結果、フィルターのメッシュを粗くすることで所定の流量を確保しているのが実状であり、このように、上記一口循環口の場合、循環流量とフィルターの濾過性能とが相反する関係にあって、これらを両立させることが困難である。
【０００６】
本発明はこのような事情に鑑みてなされたもので、その目的は、高い能力の循環ポンプを使用することなく循環流量とフィルターによる濾過性能を両立させることができ、所定の循環流量を確保しつつ十分な濾過性能が得られる浴槽用一口循環口を提供することにある。
【０００７】
【課題を解決するための手段】
かかる目的を達成すべく、本発明のうち請求項１に記載の発明は、浴槽の壁面に取り付けられ端部に吸引口を有する吸引流路と端部に吐出口を有する吐出流路とが設けられた本体と、該本体に装着されて少なくとも前記吸引口を覆う外部フィルターとを備えた浴槽用一口循環口において、前記本体の吸引口の開口端部に該吸引口の開口面積より大きい面積の幅広開口部を形成し、該幅広開口部の開口側に内部フィルターを配設したことを特徴とする。
【０００８】
このように構成することにより、浴槽内の湯は、循環ポンプの作動で本体の吸引口から吸引され、吸引流路や吐出流路を介して流通した後に本体の吐出口から浴槽内に吐出されることで循環する。この湯の循環時に、本体の吸引口を覆うように配設された外部フィルターで浴槽内の湯が濾過されると共に、本体の吸引口に配設された内部フィルターでも濾過される。そして、内部フィルターが本体の吸引口の開口端部に形成された吸引口の開口面積より大きい面積の幅広開口部の開口側に配設されていることから、内部フィルターの面積をできるだけ大きくしてその前後の圧力差を小さくでき、これにより、内外両フィルターで十分な濾過性能が容易に確保されると共に、内部フィルターの使用で外部フィルター等のメッシュを粗く形成して抵抗を少なくでき、所定の循環流量が容易に確保される。
【０００９】
そして、前記内部フィルターは、請求項２に記載の発明のように、本体の吸引口が開口する筒状フランジの外周面形状に対応した形状に形成されていることが好ましい。このように構成することにより、内部フィルターの形状が本体の筒状フランジの外周面形状に対応していることから、内部フィルターを吸引口部分に確実に配設できて、所定形状の幅広開口部が容易に形成される。
【００１０】
また、前記内部フィルターは、請求項３に記載の発明のように、本体の吸引口の開口端部より幅広に形成され、該幅広部分と本体との間に隙間を設けて配設されることにより前記幅広開口部が形成されていることが好ましい。このように構成することにより、内部フィルターが幅広に形成され、これが本体の吸引口の開口端部に隙間を設けて配設されることから、吸引口への異物の吸込みが抑えられたり付着した異物が除去され易くなる。また同時に、隙間により幅広開口部の面積が増大して、所定の循環流量が一層容易に確保される。
【００１１】
また、前記隙間は、請求項４に記載の発明のように、内部フィルターに所定深さ寸法の凹部を形成するか、もしくは前記本体に所定高さ寸法の凸部を形成することにより設けられていることが好ましい。このように構成することにより、隙間が内部フィルターに設けられた所定深さの凹部や本体に設けられた所定高さの凸部で形成されることから、所定寸法の凹部や凸部を内部フィルターや本体に一体成形するだけで所定間隔の隙間を容易に形成できる。
【００１２】
また、前記内部フィルターは、請求項５に記載の発明のように、本体の吸引口の開口端部に形成された開口側が幅広なテーパ部の開口側に配設されることにより、該内部フィルターの内側に前記幅広開口部が形成されていることが好ましい。このように構成することにより、幅広開口部がテーパ部で形成されていることから、幅広開口部を容易に形成できて、所定の循環流量が容易に確保されると共に開口端部に配設した内部フィルターで所定の濾過性能が容易に得られる。
【００１３】
また、前記内部フィルターは、請求項６に記載の発明のように、本体に着脱可能に配設されていることが好ましい。このように構成することにより、内部フィルターが例えば係止爪やネジ等で本体に固定されて着脱できることから、内部フィルターの清掃等を容易に行うことができる。
【００１４】
また、前記内部フィルターは、請求項７に記載の発明のように、本体に設けられた吐出口にも配設されていることが好ましい。このように構成することにより、本体に設けられる吐出口にも内部フィルターが配設されることから、吐出口を介した異物の侵入あるいは吸引流路や吐出流路内の異物の浴槽内への吐出等が抑制されて、内外両フィルターによる濾過性能が一層高められる。
【００１５】
【発明の実施の形態】
以下、本発明の実施の形態の一例を図面に基づいて詳細に説明する。
図１〜図９は、本発明に係わる浴槽用一口循環口の一実施形態を示し、図１が浴槽への取付状態の断面図、図２がその要部の分解斜視図、図３が本体の側面図、図４がそのＡ−Ａ線に沿った断面図、図５が内部フィルターの斜視図、図６がその平面図、図７が内部フィルターの取付状態の断面図、図８がその平面図、図９が図７のＢ部の拡大図である。
【００１６】
図１において、一口循環口１は、本体２と外部フィルター３等を有し、本体２が循環口ボディ４等を介して浴槽５の側壁５ａに取り付けられている。そして、一口循環口１の本体２は、本体ベース６、この本体ベース６に固定されたフィルターベース７等で構成され、これらが樹脂成形されてネジ８等で固定されることにより一体的に組み付けられている。
【００１７】
前記本体２の本体ベース６は、図１及び図２に示すように、浴槽５の壁面である側壁５ａに設けられた取付孔９の内径と略同一径の外径を有する筒状部６ａと、この筒状部６ａの一方の開口側（浴槽５の内部側）に形成された径大なフランジ６ｂとで形成され、フランジ６ｂには複数（図では８個）の取付孔を有する固定部１０が円周方向に沿って一体形成されている。
【００１８】
前記フィルターベース７は、図２〜図４に示すように、筒状フランジ７ａと、この筒状フランジ７ａの中心位置に設けられ内部に吸引流路１１が形成され外部に吐出流路１２が形成される吸引パイプ１３等を有し、吸引パイプ１３は反開口側に向け筒状フランジ７ａに対して垂直方向に所定長さ延設されている。また、フィルターベース７には、その外周面に前記吸引流路１１と吐出流路１２の端部となる角形の、例えば同一開口面積の吸引口１４と吐出口１５が設けられており、この吸引口１４の開口端部１４ａと吐出口１５の開口端部１５ａの外側には、樹脂製の内部フィルター１６がそれぞれ取り付けられている。
【００１９】
この内部フィルター１６は、図５及び図６に示すように、その長さＬが吸引口１４及び吐出口１５の一辺より所定寸法長く、その幅Ｗがフィルターベース７の奥行き寸法Ｗ１（図３参照）と略同一に設定されることにより、投影面積が吸引口１４及び吐出口１５の開口面積より所定値大きい面積を有するように形成されている。そして、この内部フィルター１６は、フィルターベース７の筒状フランジ７ａの外周面形状に対応した円弧形状に形成されると共に、その長手方向両端部には係止突起１７が内側方向に突出状態でそれぞれ一体形成されている。
【００２０】
また、内部フィルター１６は、その幅方向の一方側（前記開口側）に所定数（図では１列８個で２列の合計１６個）で所定内径のフィルター孔１６ａが穿設され、このフィルター孔１６ａが穿設された領域（フィルター孔１６ａ領域という）は、その板厚が他の領域の板厚より所定寸法薄く形成されることで凹部１８が形成されている。この凹部１８は、内部フィルター１６の幅方向の一方側に開口し、この凹部１８によって、図７及び図９に示すように、内部フィルター１６の内面とフィルターベース７の吸引口１４（及び吐出口１５）近傍の外周面間に、凹部１８の深さ寸法に対応した間隔寸法ｔの隙間１９が形成され、この隙間１９によって角形の吸引口１４（及び吐出口１５）の開口端部１４ａ（及び開口端部１５ａ）に、吸引口１４（及び吐出口１５）の開口面積より大きな面積の幅広開口部２０が形成されている。
【００２１】
そして、この内部フィルター１６は、その一対の係止突起１７の矢印ハ（図７参照）の如く傾動する弾性を利用して、フィルターベース７の吸引口１４と吐出口１５の長手方向の外側所定位置に形成された一対の係止孔２１にそれぞれ嵌入係止されて、フィルターベース７に取り付けられている。また、内部フィルター１６は、外側に引張ることにより係止突起１７が係止孔２１からそれぞれ外れてフィルターベース７から取り外しでき、内部フィルター１６等の清掃が容易となるようになっている。
【００２２】
なお、内部フィルター１６は、図７等において図示はしないが、本体２の筒状フランジ７ａに開口する吐出口１５の開口端部１５ａ外側にも吸引口１４と同様に配設されている。また、内部フィルター１６の係止突起１７の形状もこの例に限らず、係止孔２１に着脱可能に係止され得る適宜の形状を採用できる。さらに、内部フィルター１６のフィルターベース７への取付構造も、係止突起１７と係止孔２１の係止に限らず、内部フィルター１６のフィルター孔１６ａ領域を除く部分に一対の取付孔（図示せず）を穿設し、この取付孔からフィルターベース７にネジをねじ込んだ取付構造とすることもでき、この場合もネジを取り除くことにより、内部フィルター１６をフィルターベース７から取り外すことができる。
【００２３】
このように構成された本体２のフィルターベース７外側に被嵌される前記外部フィルター３は、図２に示すように、有底円筒状に形成された合成樹脂製もしくは金属製の基台３ａを有し、この基台３ａの底壁及び周壁には開口が設けられ、この開口にフィルターメッシュ３ｂが例えば基台３ａへの接着固定等により配設されている。そして、この外部フィルター３は、その基台３ａの周壁を前記フィルターベース７の筒状フランジ７ａの外周面側に被嵌させることにより、本体２に着脱可能に装着される。
【００２４】
なお、外部フィルター３の構成は、この例に限定されず、例えば所定位置に予め開口が形成された基台３ａに、その内側からパンチング金属板を被嵌させた二重構造としたり、基台３ａ全体をフィルターとして機能するパンチング孔を有する金属板で形成する等、他の適宜のフィルター構造を採用することができる。
【００２５】
この一口循環口１は、図１に示すように、本体２の本体ベース６の筒状部６ａを浴槽５の側壁５ａに穿設した取付孔９に、側壁５ａの内側からゴムパッキン２２を介装した状態で嵌挿し、側壁５ａの外側に突出した筒状部６ａのネジに循環口ボディ４のネジ孔をねじ込むことで浴槽５に取り付けられる。この時、循環口ボディ４をＯリング２８を介し、かつ循環口ボディ４のフランジ４ａにボディパッキン２３を介装させることで、前記ゴムパッキン２２と共に一口循環口１がシール性を有して浴槽５に取り付けられる。そして、この取付状態の本体２に外部フィルター３を装着すると共に、循環口ボディ４の吸引流路や吐出流路にそれぞれ接続された接続パイプ２４を、浴室外に設置された図示しない給湯機等に配管することにより、一口循環口１が浴槽５（浴室）に設置される。
【００２６】
そして、この一口循環口１は、次のように動作する。すなわち、浴槽５内の湯は、例えば自動運転時にその温度が所定値まで低くなると、図示しないコントローラにより給湯機が作動してその内部に設けられた循環ポンプがオンして回転する。この循環ポンプの回転により、浴槽５内の湯が外部フィルター３、フィルターベース７の内部フィルター１６及び本体２の吸引口１４から図４の矢印イの如く一口循環口１の吸引流路１１に吸引され、これが吸引側の接続パイプ２４等を介して給湯機に供給されて所定温度まで加温される。
【００２７】
この給湯機で加温された湯は、吐出側の接続パイプ２４等を介して一口循環口１内に供給され、図４の矢印ロの如く吐出流路１２及び吐出口１５、内部フィルター１６から外部フィルター３を介して浴槽５内に吐出される。これにより浴槽５内の湯が、側壁５ａに配設した一口循環口１で循環状態とされ、この循環状態時に、浴槽５内の湯が本体２に装着された外部フィルター３と本体２のフィルターベース７に取り付けられた内部フィルター１６の両フィルターによって濾過され、一口循環口１における湯の濾過性能が高められる。
【００２８】
また、内部フィルター１６のフィルター孔１６ａ部分に凹部１８が設けられ、前述したように吸引口１４の開口端部１４ａに、隙間１９によって開口端部１４ａの開口面積より大きく各フィルター孔１６ａに対応した幅広開口部２０が形成されていることから、各フィルター孔１６ａから吸引される湯が幅広開口部２０（隙間１９）内を図９の矢印ニの如く流れて角形の吸引口１４内に吸引される。
【００２９】
この時、幅広開口部２０が比較的狭いスリット状の間隔寸法ｔの隙間１９で形成され、吸引口１４の開口端部１４ａに開口面積より大きな幅広開口部２０が形成されることから、この幅広開口部２０によって吸引口１４の開口端部１４ａ外側の面積を大きくできて、内部フィルター１６前後の圧力差による吸引口１４の吸引力の低下が抑えられ、所定の循環流量が容易に確保される。
【００３０】
なお、吸引口１４の寸法を１０×１０ｍｍとして、この吸引口１４部分に、凹部１８の投影面積がＬ＝３５ｍｍ×Ｗ＝１０ｍｍ、隙間ｔ＝０．５ｍｍ、各フィルター孔１６ａの内径φ３ｍｍ×１６個の内部フィルター１６を取り付けて実験したところ、隙間１９を設けない場合が９リットル／分程度であるのに対して１．２倍程度多い１１リットル／分程度の流量が得られることが確認された。また、この内部フィルター１６を取り付けることにより、同じ循環流量の場合に、外部フィルター３のフィルターメッシュ３ｂを通過する流速が低くなり、一口循環口１に異物が吸い込まれ難くなり、また、内部フィルター１６に異物が付着して所定のフィルター孔１６ａが塞がれた場合でも、塞がれた回りのフィルター孔１６ａから湯が吸引されて、フィルター孔１６ａ部分の前後の負圧が弱まって付着した異物が取れ易くなることも確認された。
【００３１】
このように、上記実施形態の一口循環口１においては、本体２の吸引口１４に内部フィルター１６が取り付けられると共に、本体２にフィルターメッシュ３ｂを有する外部フィルター３が装着されているため、内外の両フィルター１６、３で浴槽５内の湯を濾過しつつ循環させることができ、従来のフィルターが一つの場合に比較して一口循環口１の濾過性能を大幅に高めることができる。
【００３２】
特に、内部フィルター１６が吸引口１４の開口端部１４ａの幅広開口部２０に配設されているため、この幅広開口部２０に設けた内部フィルター１６の各フィルター孔１６ａの孔径が小さくても、大きな孔径のフィルター孔と略同一の流量を得ることができて、給湯機の循環ポンプとして容量の大きなものを使用することなく、所定の流量を容易に確保することができる。これにより、所定の循環流量を確保しつつ所定の濾過性能を有する、つまり循環流量の確保と濾過性能の向上を両立させた一口循環口１を得ることが可能になる。
【００３３】
また、内部フィルター１６が吸引口１４に対して幅広に形成され、この幅広部分がフィルターベース７の筒状フランジ７ａの外周面に隙間１９で対向するため、吸引口１４の開口端部１４ａ外側に比較的大きな幅広開口部２０を容易に形成できて、循環流量の安定した確保が可能になると共に、内部フィルター１６のフィルター孔１６ａ部分における前後の圧力差を小さくして異物を吸い込み難くさせることができる。また同時に、幅広開口部２０が間隔寸法ｔの隙間１９によって形成されているため、吸引口１４付近のフィルター孔１６ａに異物が付着した場合に、塞がれたフィルター孔１６ａ回りのフィルター孔１６ａから吸引される湯によって、内部フィルター１６前後の負圧が弱まり付着した異物が取れ易くなり、これらにより、内部フィルター１６の濾過性能を一層高めることが可能になる。
【００３４】
さらに、内部フィルター１６がフィルターベース７の筒状フランジ７ａの外周面形状に対応して円弧形状に形成されているため、内部フィルター１６を吸引口１４部分に確実に配設でき、隙間１９の幅広開口部２０の全域における均一化を容易に図ることができて、内部フィルター１６による濾過性能のより一層の向上を図ることができる。また、内部フィルター１６が吐出口１５の開口端部１５ａ外側にも配設されているため、吐出口１５を介した一口循環口１内への異物の吸い込みあるいは吸引流路１１や吐出流路１２及び循環ポンプ内等の異物の浴槽５内への吐出が抑えられて、一口循環口１自体の濾過性能を一層高めることが可能になる。
【００３５】
またさらに、内部フィルター１４が係止突起１７やネジによってフィルターベース７に固定されるため、内部フィルター１６をフィルターベース７から取り外すことができて、内部フィルター１６がフィルターベース７等に一体形成されている場合に比較して、内部フィルター１６やフィルターベース７の吸引口１４部分の異物除去等の清掃を極めて簡単に行うことが可能になる。また、内部フィルター１６の使用等により循環流量と濾過性能が両立できるため、高い能力の循環ポンプ（給湯機等）を使用する必要がなくなり、循環ポンプ自体のコストの低減化が図れると共に、消費電力を少なくして省エネ化を図ること等もできる。
【００３６】
図１０及び図１１は、本発明に係わる一口循環口のそれぞれ他の実施形態を示している。以下、上記実施形態と同一部位には同一符号を付して説明する。先ず、図１０に示す一口循環口１の特徴は、内部フィルター１６の板厚をフィルター孔１６ａ部分及びそれ以外の部分の全域において同一板厚に形成すると共に、フィルターベース７の筒状フランジ７ａの吸引口１４回りで内部フィルター１６のフィルター孔１６ａが形成されない領域に所定高さの凸部２５を一体形成し、この凸部２５により内部フィルター１６とフィルターベース７との間に凸部２５の高さ寸法に対応した間隔寸法ｔの前記隙間１９を形成するようにした点にある。
【００３７】
この実施形態においても、係止突起１７と係止孔２１によって内部フィルター１６をフィルターベース７に取り付けできると共に、凸部２５の高さ寸法に対応した隙間１９で、吸引口１４の開口端部１４ａ外側に吸引口１４の開口面積より大きい面積の幅広開口部２０が形成されて、上記実施形態と同様の作用効果を得ることができる。
【００３８】
また、図１１に示す一口循環口１の特徴は、吸引口１４の開口端部１４ａ外側にテーパ部２６を形成し、このテーパ部２６の開口側の端部に内部フィルター１６をネジ２７で固定すること等により配設した点にある。この実施形態においても、内部フィルター１６内側のテーパ部２６で吸引口１４の開口端部１４ａ外側に吸引口１４の開口面積より大きな面積の幅広開口部２０が形成され、例えば内部フィルター１６による吸引力の低下が抑えられて所定の流量が確保できる等、上記実施形態の幅広開口部２０と略同様の作用効果を得ることができる。このように、本発明に係わる吸引口１４の開口端部１４ａ外側に形成される幅広開口部２０は、内部フィルター１６の内側に吸引口１４の開口面積より大きな面積の隙間１９やテーパ部２６が形成されれば良く、他の適宜構造を採用することもできる。
【００３９】
なお、本発明は上記した各実施形態のそれぞれに限定されるものではなく、例えば図１１に示すテーパ部２６と前記隙間１９を組み合わせる等、各実施形態の一部や全部を適宜に組み合わせることもできる。また、上記各実施形態においては、吸引口１４と吐出口１５をフィルターベース７のフランジ７ａの外周面に開口させたが、例えばフィルターベース７のフランジ７ａの底壁面に開口させる構成としたり、吸引口１４や吐出口１５の数を複数形成する等、本発明に係わる各発明の要旨を逸脱しない範囲において適宜に変更することができる。
【００４０】
【発明の効果】
以上詳述したように、請求項１に記載の発明によれば、本体の吸引口の開口端部に該吸引口の開口面積より大きい面積の幅広開口部を形成し、この幅広開口部の開口側に内部フィルターが配設されているため、内外両フィルターで十分な濾過性能が容易に確保されると共に、幅広開口部で内部フィルター前後の圧力差を小さくして吸込力の低下が抑えられ、内部フィルター等のメッシュを細かく形成しても、所定の循環流量を容易に確保することができる。
【００４１】
また、請求項２に記載の発明によれば、請求項１に記載の発明の効果に加え、内部フィルターの形状が本体の筒状フランジの外周面形状に対応しているため、内部フィルターを吸引口部分に確実に配設することができて、所定形状の幅広開口部を容易に形成することができる。
【００４２】
また、請求項３に記載の発明によれば、請求項１または２に記載の発明の効果に加え、内部フィルターの幅広部分が本体の吸引口の開口端部に隙間を設けて配設されるため、吸引口への異物の吸込みが抑えられたり付着した異物が除去され易くなり、また同時に、隙間により吸引口の開口端部の面積が増大して、所定の循環流量を一層容易に確保することができる。
【００４３】
また、請求項４に記載の発明によれば、請求項３に記載の発明の効果に加え、隙間が内部フィルターに設けられた所定深さの凹部や本体に設けられた所定高さの凸部で形成されるため、凹部や凸部を内部フィルターや本体に一体成形するだけで所定間隔の隙間を容易に形成することができる。
【００４４】
また、請求項５に記載の発明によれば、請求項１または２に記載の発明の効果に加え、本体の吸引口の開口端部にテーパ部が形成され、このテーパ部の開口側に内部フィルターが配設されるため、幅広開口部で所定の循環流量を容易に確保することができると共に、幅広開口部の開口側に配設した内部フィルター等で十分な濾過性能を得ることができる。
【００４５】
また、請求項６に記載の発明によれば、請求項１ないし５に記載の発明の効果に加え、本体に固定される内部フィルターが着脱できるため、内部フィルターの清掃を容易に行うことができる。
【００４６】
また、請求項７に記載の発明によれば、請求項１ないし６に記載の発明の効果に加え、本体に設けられる吐出口にも内部フィルターが配設されるため、吐出口を介した異物の侵入や吐出等が抑制されて、内外両フィルターによる濾過性能が一層高められる等の効果を奏する。
【図面の簡単な説明】
【図１】本発明に係わる浴槽用一口循環口の一実施形態を示す浴槽への取付状態の断面図
【図２】同その要部の分解斜視図
【図３】同本体の側面図
【図４】同そのＡ−Ａ線に沿った断面図
【図５】同内部フィルターの斜視図
【図６】同その平面図
【図７】同内部フィルターの取付状態の断面図
【図８】同その平面図
【図９】同図７のＢ部の拡大図
【図１０】本発明に係わる浴槽用一口循環口の他の実施形態を示す図７と同様の断面図
【図１１】本発明に係わる浴槽用一口循環口のさらに他の実施形態を示す図７と略同様の断面図
【符号の説明】
１・・・・・・・・・一口循環口
２・・・・・・・・・本体
３・・・・・・・・・外部フィルター
３ａ・・・・・・・・基台
３ｂ・・・・・・・・フィルターメッシュ
４・・・・・・・・・循環口ボディ
５・・・・・・・・・浴槽
５ａ・・・・・・・・側壁
６・・・・・・・・・本体ベース
７・・・・・・・・・フィルターベース
７ａ・・・・・・・・筒状フランジ
１１・・・・・・・・吸引流路
１２・・・・・・・・吐出流路
１３・・・・・・・・吸引パイプ
１４・・・・・・・・吸引口
１４ａ・・・・・・・開口端部
１５・・・・・・・・吐出口
１５ａ・・・・・・・開口端部
１６・・・・・・・・内部フィルター
１６ａ・・・・・・・フィルター孔
１７・・・・・・・・係止突起
１８・・・・・・・・凹部
１９・・・・・・・・隙間
２０・・・・・・・・幅広開口部
２１・・・・・・・・係止孔
２４・・・・・・・・接続パイプ
２５・・・・・・・・凸部
２６・・・・・・・・テーパ部
【図１】
2004301472.tif 000003
【図２】
2004301472.tif 000004
【図３】
2004301472.tif 000005
【図４】
2004301472.tif 000006
【図５】
2004301472.tif 000007
【図６】
2004301472.tif 000008
【図７】
2004301472.tif 000009
【図８】
2004301472.tif 000010
【図９】
2004301472.tif 000011
【図１０】
2004301472.tif 000012
【図１１】
2004301472.tif 000013